(57)【要約】　　　（修正有）【課題】自動車の窓ガラス等に吸盤を介してお守りを取付ける場合、お守りが振動等で揺れず、しかも傾斜した窓ガラスに取付けてもお守りを見やすい垂直状態に保つことが可能な吸盤付きのお守りを提供する。【解決手段】お守り本体１１の裏側に取付けられる支持部材１２の上部に、同一軸心上に配置され隙間を有して対向するピン部１３、１４を設け、対向するピン部１３、１４を吸盤１５の裏面側に突出して設けられたボス部２８に両側から装着し、吸盤１５にお守り本体１１を回動可能に取付けた。【選択図】　　　　図２
0003098226.tif 000002
【実用新案登録請求の範囲】
【請求項１】
お守り本体の裏側に取付けられる支持部材の上部に、同一軸心上に配置され隙間を有して対向するピン部を設け、該対向するピン部を吸盤の裏面側に突出して設けられたボス部に両側から装着し、該吸盤に前記お守り本体を回動可能に取付けたことを特徴とする吸盤付きのお守り。
【請求項２】
請求項１記載の吸盤付きのお守りにおいて、前記支持部材は前記お守り本体の裏側に取付けられる板状部と、該板状部の上側両側に設けられた対となるアーム部とを備え、該対となるアーム部の上側に前記ピン部が設けられ、しかも、前記板状部と前記対となるアーム部と前記対向するピン部が一体として形成されていることを特徴とする吸盤付きのお守り。
【請求項３】
請求項２記載の吸盤付きのお守りにおいて、前記お守り本体は前記板状部に貼着されていることを特徴とする吸盤付きのお守り。
【考案の詳細な説明】
【０００１】
【考案の属する技術分野】
本考案は、自動車の窓ガラス等に取付ける吸盤付きのお守りに関する。
【０００２】
【従来の技術】
例えば、特許文献１に記載のようなお守りを自動車の窓ガラスに取付ける場合には吸盤を介して行われる。この場合、お守りはその上端に設けられている孔に紐を通して適当な長さを保って吸盤と連結している。
【０００３】
【特許文献１】
特開平１１−７６０４３号公報
【０００４】
【考案が解決しようとする課題】
しかしながら、お守りを紐等を介して取付けると走行中の振動によって、自由方向にお守りが揺れ、運転者の視界を妨げるという問題がある。
更には、お守りを自動車の窓ガラス等に吸盤と紐を介して取付けると、走行中に適当な周期でお守りが揺れ、運転者に催眠作用を与える場合があるという問題があった。
本考案はかかる事情に鑑みてなされたもので、自動車の窓ガラス等に吸盤を介してお守りを取付ける場合、お守りが振動等で揺れず、しかも傾斜した窓ガラスに取付けてもお守りを見やすい垂直状態に保つ吸盤付きのお守りを提供することを目的としている。
【０００５】
【課題を解決するための手段】
前記目的に沿う第１の考案に係る吸盤付きのお守りは、お守り本体の裏側に取付けられる支持部材の上部に、同一軸心上に配置され隙間を有して対向するピン部を設け、該対向するピン部を吸盤の裏面側に突出して設けられたボス部に両側から装着し、該吸盤に前記お守り本体を回動可能に取付けている。
【０００６】
また、第２の考案に係る吸盤付きのお守りは、第１の考案に係る吸盤付きのお守りにおいて、前記支持部材は前記お守り本体の裏側に取付けられる板状部と、該板状部の上側両側に設けられた対となるアーム部とを備え、該対となるアーム部の上側に前記ピン部が設けられ、しかも、前記板状部と前記対となるアーム部と前記対向するピン部が一体として形成されている。
【０００７】
第３の考案に係る吸盤付きのお守りは、第２の考案に係る吸盤付きのお守りにおいて、前記お守り本体は前記板状部に貼着されている。
【０００８】
【考案の実施の形態】
続いて、添付した図面を参照しつつ、本考案を具体化した実施の形態につき説明し、本考案の理解に供する。
ここに、図１は本考案の一実施の形態に係る吸盤付きのお守りの正面図、図２は同吸盤付きのお守りの使用状態の一部省略側面図、図３は同吸盤付きのお守りの使用状態の一部省略正面図である。
【０００９】
図１〜図３に示すように、本考案の一実施の形態に係る吸盤付きのお守り１０は、お守り本体１１と、お守り本体１１の裏側に取付けられる支持部材１２と、支持部材１２の上部にピン部１３、１４を介して回動可能に取付けられる吸盤１５とを有している。以下、これらについて詳しく説明する。
【００１０】
前記お守り本体１１は、横幅が３０〜４０ｍｍ、高さが４５〜６０ｍｍ程度の袋状物１６と、袋状物１６の下部に取付けられている鈴１６ａ及び装飾用の房１６ｂとを備え、袋状物１６は透明合成樹脂（例えば、塩化ビニール、ナイロン、ポリエチレン等）によって形成される外袋１７ａと外袋１７ａ内に収納され正面視して長方形の御札１７とを有し、袋状物１６の下部には鳩目１８が形成されている。
【００１１】
袋状物１６の背面には、支持部材１２の構成要素である板状部１９が貼着され、板状部１９の上側両側には、対となるアーム部２０、２１が設けられている。アーム部２０、２１の先端には、前記したピン部１３、１４が内側を向いて設けられている。ピン部１３、１４は断面円形となって同一軸心上に配置され、対向するピン部１３、１４の間に隙間が設けられている。
ピン部１３、１４、アーム部２０、２１及び板状部１９は一体となった合成樹脂素材からなって、全体として一つの支持部材１２を形成している。
このように、支持部材１２を一つにすることによって、製品自体の部品点数を減らし、製品自体の構造が簡単となり、組立が簡単な他、製品自体の価格も安くなる。
【００１２】
袋状物１６の下部に設けられている鳩目１８には金属製のリング２５を介して小さな鈴１６ａと装飾用の房１６ｂの上部が連結され、鈴１６ａ及び装飾用の房１６ｂが袋状物１６の下方にぶら下がる構造となっている。
【００１３】
前記したピン部１３、１４は、吸盤１５の裏面側（即ち、吸着される側に対して反対側）に突出して設けられた円柱状のボス部２８に設けられた貫通孔２９に両側から嵌入している。ピン部１３、１４は断面円形となってボス部２８に対する支持部材１２の回転を円滑にしている。
【００１４】
裏面側にボス部２８を有する吸盤１５は、有色（例えば、白）又は透明で柔軟性を有する合成樹脂素材からなって、円滑に自動車の窓ガラス等に吸着し、しかも、できる限り視界を妨げないようになっている。なお、吸盤１５の吸着部本体３０は直径が３０〜５０ｍｍ程度の円形となっている。
【００１５】
従って、この吸盤付きのお守り１０を使用する場合には、図２、図３に示すように、吸盤１５の吸着部本体３０を自動車等の窓ガラス３１に吸着させる。お守り本体１１は支持部材１２の正面側に貼着され、支持部材１２はその先部に設けられているピン部１３、１４が吸盤１５のボス部２８に回動可能に取付けられているので、傾いた窓ガラス３１に対してお守り本体１１を垂直状態に支持させることが可能となる。
【００１６】
ピン部１３、１４とボス部２８の貫通孔２９との嵌合を緩くした場合、即ちピン部１３、１４の外径を貫通孔２９の内径より僅少の範囲で小さくした場合には、お守り本体１１は窓ガラス３１に対して、自由状態で実質的に垂直になる。この場合、自動車の走行中には、窓ガラス（通常はフロントガラス又はリアガラス）３１に対して前後に揺れることはあり得るが、左右方向には揺れないので、視界の邪魔になることがない。更には、窓ガラス３１に対して左右方向に揺れないので、走行時の振動による揺れが極めて少なくなり、仮にお守り本体１１が前後方向に揺れても運転者が見た場合の揺れは従来のタイプに比べて少なく、これによって催眠作用が発生することが少ない。
【００１７】
また、ピン部１３、１４の外径を貫通孔２９の内径に一致させた場合、又は僅少の範囲でピン部１３、１４の外径を貫通孔２９の内径より大きくした場合には、吸盤１５に対する支持部材１２の傾きが自由でなくなるので、自動車の振動等では容易にお守り本体１１が揺れず、走行中にお守り本体１１が揺れることも無くなる。
【００１８】
前記実施の形態は具体的な数字や形状を特定して説明したが、本考案はその要旨を変更しない範囲での変形を行うことができる。例えば、お守り本体１１は、本実施の形態においては、袋状物１６、鈴１６ａ及び装飾用の房１６ｂを備えて形成したが、これらの一部を省略したり、あるいは他のもの（例えば、玩具や人形）に変えたりすることもできる。
【００１９】
【考案の効果】
請求項１〜３記載の吸盤付きのお守りは、以上の説明からも明らかなように、お守り本体の裏側に取付けられる支持部材の上部に、同一軸心上に配置され隙間を有して対向するピン部を設け、対向するピン部を吸盤の裏面側に突出して設けられたボス部に両側から装着し、吸盤にお守り本体を回動可能に取付けているので、この吸盤付きのお守りを、例えば自動車の窓ガラスに取付けて使用しても、窓ガラスに対して前後方向に揺れることはあっても、左右方向に揺れることはない。従って、運転者にとって視界を妨げることが少なくなる。
また、仮にお守り本体が窓ガラスに対して前後方向に揺れても、運転者にとってはその揺れは見えにくく、結果として運転者に眠気を与えることが少ない。
【００２０】
特に、請求項２記載の吸盤付きのお守りは、支持部材はお守り本体の裏側に取付けられる板状部と、板状部の上側両側に設けられた対となるアーム部とを備え、対となるアーム部の上側にピン部が設けられ、しかも、板状部と対となるアーム部と対向するピン部が一体として形成されているので、全体として部品点数が少なく、組立が容易で安価に製造でき、更には組み立てた製品も壊れにくいという利点を有する。
【００２１】
請求項３記載の吸盤付きのお守りは、お守り本体は板状部に貼着されているので接着面積が大きく強固にお守り本体と板状部を連結できる。
【図面の簡単な説明】
【図１】本考案の一実施の形態に係る吸盤付きのお守りの正面図である。
【図２】同吸盤付きのお守りの使用状態の一部省略側面図である。
【図３】同吸盤付きのお守りの使用状態の一部省略正面図である。
【符号の説明】
１０：吸盤付きのお守り、１１：お守り本体、１２：支持部材、１３、１４：ピン部、１５：吸盤、１６：袋状物、１６ａ：鈴、１６ｂ：装飾用の房、１７：御札、１７ａ：外袋、１８：鳩目、１９：板状部、２０、２１：アーム部、２５：リング、２８：ボス部、２９：貫通孔、３０：吸着部本体、３１：窓ガラス
【図１】
0003098226.tif 000003
【図２】
0003098226.tif 000004
【図３】
0003098226.tif 000005